(57)【要約】【課題】無駄な燃料の消費及びランニングコストを低く抑えつつ、降雪時には速に融雪を行うことができる放熱管敷設型融雪装置を提供する。【解決手段】熱媒体タンク１には熱媒体３が充填してある。熱媒体タンク１内は仕切り盤を設けて上側貯留空間と下側貯留空間に仕切られて、熱媒体加熱器７が設けてある。熱媒体加熱器７は、油１６を収容する蓄熱媒体タンク８と電熱ヒーター１５とから構成してある。熱媒体流動管１０は流入口が下側貯留空間内に、流出口が上側貯留空間内に位置するように蓄熱媒体タンク８に巻設してある。蓄熱媒体タンク８内に通水穴を形成した通水性仕切り体１１が設けてあり、通水仕切り体１１の外側空間に蓄熱材としての石１４が配設してあり、内側空間に電熱ヒーター１５が配設してある。上側貯留空間から送り側循環配管を介して放熱管２５に熱媒体３が送られ、熱媒体３は戻り側循環配管を介して下側貯留空間に戻る。【選択図】図１
2010101031.tif 000002
【特許請求の範囲】
【請求項１】
平面状に配設する放熱管にボイラーで加熱した熱媒体を循環させ、該放熱管を加熱することによって融雪を行う融雪装置において、前記熱媒体が流れる流路中に熱媒体を一時的に収容する熱媒体タンクを設け、該熱媒体タンク内に、蓄熱媒体を収容する蓄熱媒体タンクと該蓄熱媒体を加熱する電熱ヒーターとから構成した熱媒体加熱器を設けたことを特徴とする放熱管敷設型融雪装置。
【請求項２】
前記蓄熱媒体は、油であることを特徴とする請求項１記載の放熱管敷設型融雪装置。
【請求項３】
前記熱媒体は、水又は不凍液であることを特徴とする請求項１又は２のいずれかに記載の放熱管敷設型融雪装置。
【請求項４】
長尺に形成した熱媒体流動管を前記蓄熱媒体タンクに螺旋状に巻設してあることを特徴とする請求項１乃至３のいずれかに記載の放熱管敷設型融雪装置。
【請求項５】
前記蓄熱媒体タンク内に石を収容したことを特徴とする請求項１乃至４のいずれかに記載の放熱管敷設型融雪装置。
【請求項６】
前記蓄熱媒体タンク内に筒状の通水性仕切り体を設け、該通水性仕切り体と蓄熱媒体タンク間に石を充填したことを特徴とする請求項５記載の放熱管敷設型融雪装置。
【請求項７】
前記電熱ヒーターは、投げ込みヒーターであることを特徴とする請求項１乃至６のいずれかに記載の放熱管敷設型融雪装置。
【請求項８】
平面状に配設する放熱管にボイラーで加熱した熱媒体を循環させ、該放熱管を加熱することによって融雪を行う放熱管敷設型融雪方法において、前記熱媒体を一時的に収容する熱媒体タンクと、蓄熱媒体を収容する蓄熱媒体タンクと、該蓄熱媒体を加熱する電熱ヒーターを用い、前記ボイラーにより加熱されて放熱管を循環する熱媒体を熱媒体タンクに一時的に貯え、前記電熱ヒーターにより加熱した蓄熱媒体の蓄熱により該熱媒体を加熱することを特徴とする放熱管敷設型融雪方法。
【発明の詳細な説明】
【技術分野】
【０００１】
本発明は、放熱管内に加熱した熱媒体を循環させることによって放熱管を加熱し、その放熱により融雪を行う放熱管敷設型融雪装置及び放熱管敷設型融雪方法に関する。
【背景技術】
【０００２】
降雪、寒冷地域においては路面上に降り積もる雪を処理する方法として様々な手法が用いられている。その方法としては、道路に沿ってスプリンクラーを設置して散水することにより融雪する方法、路面下に埋設したパイプ内に地下水を循環させて融雪する方法、路面に塩化カルシウムを散布することにより融雪する方法等がある。その中で最も一般的に用いられているのは、路面下に埋設した配管内にボイラーで過熱した熱水を循環させることによって配管を加熱し、その放熱で路面温度を上昇させて路面上の雪を溶かす、又は、路面下に電熱ケーブルを埋設し、その熱により融雪を行ういわゆるロードヒーティングといわれる方法である（特許文献１）。  
【特許文献１】特開昭６３−１０７６０１号公報
【発明の開示】
【発明が解決しようとする課題】
【０００３】
しかし、それらのいわゆるロードヒーティング装置のうち、温水を循環させる方式では融雪面積が広大になると水を加熱するためのボイラーで用いられるガス、灯油等の燃料の費用が嵩んでランニングコストが高くなるという問題がある。電熱ケーブルを用いる方式では使用電力量が増大するし、また、暖冬などでロードヒーティングの使用が少ない場合であっても基本料金などの料金が発生し、ランニングコストが高くなるという問題がある。ロードヒーティング装置は長時間そして、長期間利用するものであるから、融雪能力を低下させることなくさらにコストダウンを図ることが常に望まれているものであるといえる。
【０００４】
また、温水循環式ロードヒーティング装置においては、融雪を開始するためにボイラーを稼動してから路面温度が融雪可能温度に到達するまでに要する時間を如何にして短縮するか、がロードヒーティングにおける重要な課題の一つでもある。そこで、昨今のロードヒーティング装置は、雪が降ったときにはいつでも即座に融雪が可能となるように、ボイラーを自動予熱運転させて常に路面を融雪できる温度に保った状態にしておくという利用態様で用いられている場合が多い。そうすると、雪が降っていない場合でも常に路面を温めるためにボイラーを運転させておく必要があり、融雪に直接関係のない無駄な長時間運転を行うことによって大量の燃料を消費し、コストが嵩んでしまう。このような燃料の無駄な消費は昨今の環境問題に対する意識、取り組みにも逆行するものであるといえる。
【０００５】
本発明は上述した従来技術の欠点に鑑みなされたもので、無駄な燃料の消費及びランニングコストを低く抑えつつ、降雪時には速に融雪を行うことができる放熱管敷設型融雪装置及び放熱管敷設型融雪方法を提供することを目的とする。
【課題を解決するための手段】
【０００６】
上述した課題を解決するために構成した請求項１に係る本発明の手段は、平面状に配設する放熱管にボイラーで加熱した熱媒体を循環させ、該放熱管を加熱することによって融雪を行う融雪装置において、前記熱媒体が流れる流路中に熱媒体を一時的に収容する熱媒体タンクを設け、該熱媒体タンク内に、蓄熱媒体を収容する蓄熱媒体タンクと該熱媒体を加熱する電熱ヒーターとから構成した熱媒体加熱器を設けたことにある。
【０００７】
そして、前記蓄熱媒体には、油を用いるとよい。
【０００８】
また、前記熱媒体には、水又は不凍液を用いるとよい。
【０００９】
また、長尺に形成した熱媒体流動管を前記蓄熱媒体タンクに螺旋状に巻設してあるとよい。
【００１０】
また、前記蓄熱媒体タンク内に石を収容するとよい。
【００１１】
また、前記蓄熱媒体タンク内に筒状の通水性仕切り体を設け、該通水性仕切り体と蓄熱媒体タンク間に石を充填するとよい。
【００１２】
さらに、前記電熱ヒーターは投げ込みヒーターであるとよい。
【００１３】
また、請求項８に係る本発明の手段は、平面状に配設する放熱管にボイラーで加熱した熱媒体を循環させ、該放熱管を加熱することによって融雪を行う放熱管敷設型融雪方法において、前記熱媒体を一時的に収容する熱媒体タンクと、蓄熱媒体を収容する蓄熱媒体タンクと、該蓄熱媒体を加熱する電熱ヒーターを用い、前記ボイラーにより加熱されて放熱管を循環する熱媒体を熱媒体タンクに一時的に貯え、前記電熱ヒーターにより加熱した蓄熱媒体の蓄熱により該熱媒体を加熱することにある。
【発明の効果】
【００１４】
本発明は、上述の構成とすることにより以下の諸効果を奏する。
（１）常時は、電熱ヒーターで加熱した蓄熱媒体によってわずかに加熱した熱媒体を放熱管内に循環させて路面を加温しておき、ボイラーを稼動させることなく融雪可能状態で待機するようにしたから、無駄な燃料消費を抑制することができ、さらに環境対策としても有効である。
（２）常時、わずかに加熱した熱媒体を循環させることにより常に放熱管を加温した状態に保つようにしたので、融雪のためにボイラーを稼動させた場合、稼動開始から融雪開始までに要する時間を短縮することができ、迅速に融雪を行うことができる。
（３）蓄熱媒体として油を用いているので、蓄熱媒体の温度が上がりやすく迅速に熱媒体を加熱することができる。
（４）長尺に形成した熱媒体流動管を蓄熱媒体タンクに螺旋状に巻設し、熱媒体流動管を蓄熱媒体タンクによって加熱するようにしたから、熱媒体流動管内を流動する熱媒体を効率的に加熱することができる。
（５）蓄熱媒体タンク内に石を収容したから、石が蓄熱材としての役割を果たして長時間蓄熱媒体の温度を高い状態に保つことができ、燃料コストを削減することができる。
（６）蓄熱媒体タンク内に筒状の通水性仕切り体を設けて、蓄熱媒体タンクとの間に石を充填する構成にしたから、石の影響を受けることなく、電熱ヒーターを蓄熱媒体タンク内に確実に配設することができるし、電熱ヒーターの石による損傷を防止できる。
（７）電熱ヒーターには投げ込みヒーターを用いることによって、蓄熱媒体タンクに投入するだけで配設することができるので熱媒体加熱器の構成を単純化できる。
【発明を実施するための最良の形態】
【００１５】
以下、本発明の実施の形態を図面に基き説明する。なお、本実施の形態は路面上の融雪を行うロードヒーティング装置として説明しているが、本発明の実施の形態はロードヒーティングに限定されるものではなく、屋根に放熱管を蛇行状に配設して屋根上の融雪を行う屋根用融雪装置等、様々な場所の融雪を行う融雪装置として用いることができる。
【００１６】
図において１は、放熱管敷設型融雪装置を構成する金属製の熱媒体タンクを示し、該熱媒体タンク１は円形の底部１Ａと胴部１Ｂとから上面を開口部１Ｃとした縦長の筒型に形成してあり、該開口部１Ｃは蓋体２で閉蓋できるように構成してある。そして、熱媒体タンク１には熱媒体３が充填してある。本実施の形態では該熱媒体３として水５０％、エチレングリコール５０％を混合した不凍液を用いている。ただし、熱媒体３は上記混合割合の不凍液に限るものではなく、混合割合を変更して用いてもよいし、プロピレングリコール、水等を用いることも可能である。なお、熱媒体３の温度低下を防止するために熱媒体タンク１は断熱材で被覆してもよい。
【００１７】
４は、熱媒体タンク１内の空間を上下に仕切るための仕切り盤を示す。該仕切り盤４は後述する蓄熱媒体タンク８を嵌め込むための穴４Ａを中央に形成した輪状の円盤型に形成してあり、熱媒体タンク１内面及び蓄熱媒体タンク８外面に密接するように設けてある。仕切り盤４を設けることにより熱媒体タンク１内は上側貯留空間５と下側貯留空間６に仕切られ、該上側貯留空間５と該下側貯留空間６間で熱媒体３が流動することはない。なお、水密性を高めるために仕切り盤４と熱媒体タンク１の間及び、仕切り盤４と蓄熱媒体タンク８の間にゴムパッキンを設けてもよい。
【００１８】
７は、前記熱媒体タンク１内に設けた熱媒体加熱器を示す。該熱媒体加熱器７は、後述する蓄熱媒体としての油１６を収容する蓄熱媒体タンク８と、該蓄熱媒体タンク８内に配設する後述する電熱ヒーター１５とから構成してある。該蓄熱媒体タンク８は、例えば銅製で、円形の底部８Ａと胴部８Ｂと上面部８Ｃとから縦長の筒状に構成してあり、電熱ヒーター１５を蓄熱媒体タンク８内に挿入するための筒状の導入口８Ｄを上面部８Ｃに設けてある。なお、タンク８の材料に銅を用いたのは、銅は熱伝導率が高く、また、銀等の他の熱伝導率が高い金属に比べて安値であり、コストを抑えつつ効率よく加熱を行うことができるからである。９、９、・・は、前記蓄熱媒体タンク８の底部８Ａの下面に設けた４本の脚を示す。蓄熱媒体タンク８は前記開口部１Ｃから熱媒体タンク１内に挿入し、脚９を底部１Ａの内面に固定することにより立設してある。そして、挿設後、蓋体２で開口部１Ｃを閉蓋する。
【００１９】
１０は、熱媒体流動管を示す。該熱媒体流動管１０は一端側を流入口１０Ａ、他端側を流出口１０Ｂとする両端が開口した長尺の管からなり、該流入口１０Ａが前記下側貯留空間６内に位置し、流出口１０Ｂが前記上側貯留空間５内の上部に位置するように蓄熱媒体タンク８に密着した状態で螺旋状に巻設してある。熱媒体流動管１０も蓄熱媒体タンク８と同様に銅製である。
【００２０】
１１は、蓄熱媒体タンク８内に石１４と電熱ヒーター１５を分離して収容するための通水性仕切り体を示す。該通水性仕切り体１１は銅製で、蓄熱媒体タンク８より小径で、上面をヒーター挿入口１１Ａとして開口した縦長の筒状に形成してあり、側面下側には多数の通水穴１１Ｂ、１１Ｂ、・・が穿設してある。そして、前記蓄熱媒体タンク８内の略中央に位置するように立設した状態で固定してある。なお、通水穴１１Ｂは側面全面に設けてもよい。通水性仕切り体１１を蓄熱媒体タンク８内に設けることによって蓄熱媒体タンク８内は外側空間１２と内側空間１３とに仕切られるが、該外側空間１２と内側空間１３はヒーター挿入口１１Ａ及び通水穴１１Ｂを通じて油１６の流動が可能になっている。なお、通水性仕切り体１１は蓄熱媒体タンク８内の空間を外側空間１２と内側空間１３に仕切りつつ、両空間の間で油１６が流動することができればよいので、無数の孔を有する網を筒状に形成したものでもよい。
【００２１】
１４、１４、・・は、前記外側空間１２に充填してある蓄熱材としての多数の石を示し、該各石１４には蓄熱性の高い種類のものを選択して用いるとよい。蓄熱性が高い石としては例えば、溶岩石、グリ石、大谷石、石鹸石等がある。
【００２２】
１５は、前記内側空間１３に設けた電熱ヒーターを示す。本実施の形態では該電熱ヒーター１５として投げ込みヒーターを用いており、前記開口部１Ｃ及び導入口８Ｄから内側空間１３内に配設してある。投げ込みヒーターを用いることによって文字通り投げ込むだけで配設することができるので、取扱いが非常に容易である。さらに、蓄熱媒体タンク８内に通水性仕切り体１１を設けて外側空間１２に石１４を充填し、内側空間１３に電熱ヒーター１５を設ける構成にしたから石１４が邪魔になることなく電熱ヒーター１５を容易かつ安全に設けることができる。なお、本実施の形態では電熱ヒーター１５は１基設けたが、融雪を行う敷地の面積、後述する放熱管２５の設置本数、熱媒体タンク１の大きさ等に合わせて複数基設けてもよい。
【００２３】
そして、蓄熱媒体タンク８内には蓄熱媒体として例えば植物油などの油１６が充填してある。ただし、蓄熱媒体として用いるものは油に限られず、水とエチレングリコールを前記熱媒体３とは異なる混合割合で混合した液体を用いてもよい。
また、プロピレングリコールを用いることも可能である。１７は、熱媒体３の温度を検出するために熱媒体タンク１内に設けた熱媒体温度センサーで、１８は、蓄熱媒体９の温度を検出するために蓄熱媒体タンク８内に設けた蓄熱媒体温度センサーである。
【００２４】
かくして、熱媒体加熱器７は蓄熱媒体タンク８と、蓄熱媒体タンク８の外周面に巻設した熱媒体流動管１０と、蓄熱媒体タンク８内を２つの空間１２、１３に画成する通水性仕切り体１１と、外側空間１２に充填した石１４と、内側空間１３に挿設した電熱ヒーター１５と、蓄熱媒体タンク８内に充填して油１６とから構成してある。
【００２５】
２１は、一端２１Ａを前記熱媒体タンク１の上側貯留空間５に接続し、他端２１Ｂを後述する送りヘッダ２３に接続してある送り側循環配管を示す。なお、上側貯留空間５内では温度が高い熱媒体３は上部に、温度が低い熱媒体３は下部に滞留するから、温かい熱媒体３を循環させるために該送り側循環配管２１の一端２１Ａは熱媒体タンク１の上方部分に接続するとよい。２２は、熱媒体３を循環させるために該送り側循環配管２１の途中に設けた循環ポンプである。
【００２６】
２３は複数の放熱管接続部（図示せず。）を有する送りヘッダを示し、２４は送りヘッダ２３と同じ数の放熱管接続部（図示せず。）を有する戻りヘッダを示す。
２５、２５、・・は、融雪を行う路面の下に埋設する長尺のパイプからなる複数の放熱管を示し、該各放熱管２５は一端を送りヘッダ２３の放熱管接続部に接続し、他端を戻りヘッダ２４の放熱管接続部に接続してある。放熱管２５の設置本数は、融雪を行う路面の広さ等に応じて適宜決定するとよい。２６は、一端２６Ａを前記戻りヘッダ２４に接続し、他端２６Ｂを前記熱媒体タンク１の下側貯留空間６に接続した戻り側循環配管を示す。かくして、本実施の形態では送り側循環配管２１、放熱管２５、戻り側循環配管２６、ボイラー送り配管２７及びタンク送り配管３０によって流路を形成している。このようにして、熱媒体タンク１の上側貯留空間５から供給された熱媒体３は送り側循環配管２１を通り送りヘッダ２３を介して放熱管２５内を流動し、戻りヘッダ２４を介して戻り側循環配管２６を通り熱媒体タンク１の下側貯留空間６に戻るように構成してある。
【００２７】
２７は、一端２７Ａを前記熱媒体タンク１の下側貯留空間６に接続し、他端２７Ｂを熱媒体３を加熱するためのボイラー２８に接続してある配管を示す。該一端２７Ａは前記戻り側循環配管２６の他端２６Ｂに近接するように配置してある。２９は該配管２７に設け、熱媒体３をボイラー２８に送るためのボイラー送りポンプである。３０は一端３０Ａをボイラー２８に接続し、他端３０Ｂを前記熱媒体タンク１の上側貯留空間５に連通し、ボイラー２８で加熱した熱媒体３を熱媒体タンク１に送るための配管を示す。なお、他端３０Ｂは上側貯留空間５の下部、すなわち仕切り盤４に近接するように配置するとよい。上側貯留空間５の下部には温度の低い熱媒体３が滞留しているので、そこに他端３０Ｂからボイラー２８で加熱した熱媒体３を吐出することにより効率的に熱媒体タンク１内の熱媒体３を攪拌することができる。
【００２８】
このようにして、下側貯留空間６から供給された熱媒体３は配管２７を通りボイラー２８に送られて加熱された後、配管３０を通り熱媒体タンク１の上側貯留空間５に戻るように構成してある。
【００２９】
次に、上述のように構成した放熱管敷設型融雪装置の作用について、融雪可能状態で待機する場合から説明する。まず、熱媒体加熱器７の電熱ヒーター１５に通電し内側空間１３内の油１６を加熱すると、その加熱した油１６がヒーター挿入口１１Ａ、通水穴１１Ｂを介して対流することにより外側空間１２内の油１６も加熱され、これによって、外側空間１２内に充填してある石１４も加熱される。なお、石１４はいったん加熱すると冷め難く蓄熱材としての役割を果たすので、一度石１４と油１６を加熱すればその温度を長時間保つことができるから、電熱ヒーター１５で消費する電力を低く抑えることができる。
【００３０】
上述の如く油１６を加熱すると、油１６の熱が伝わって蓄熱媒体タンク８が加熱され、蓄熱体タンク８に密着して巻設してある熱媒体流動管１０も加熱される。熱媒体タンク１に充たしてある熱媒体３は蓄熱媒体タンク８、熱媒体流動管１０と接触しているから、加熱された蓄熱媒体タンク８のタンク壁、熱媒体流動管１０の管壁を介して熱媒体３に熱が伝えられ、熱媒体３は加熱される。なお、油１６の温度は熱媒体３の温度を常に約３℃以上に保つように設定し、その温度は熱媒体温度センサー１７で測定しながら制御するとよい。熱媒体３の温度である３℃は一般的に路面上の雪を融かすのに必要とされる目安の温度である。次いで、循環ポンプ２２を作動させると、加熱された熱媒体３は循環ポンプ２２によって送り側循環配管２１、送りヘッダ２３を介して放熱管２５に送給される。
【００３１】
そして、放熱管２５内を熱媒体３が流動することによって放熱管２５は加熱され、路面は加温された状態に維持され、また路面上の融雪を行う。放熱と融雪により温度が下がった熱媒体３は放熱管２５から戻りヘッダ２４及び戻り側循環配管２６を介して熱媒体タンク１の下側貯留空間６に送られる。
【００３２】
通常、ボイラー送りポンプ２９は稼動しておらず、熱媒体３は配管２７を介してボイラー２８には送られない。したがって、下側貯留空間６に流入した熱媒体３は流入口１０Ａから熱媒体流動管１０に流入し、熱媒体流入管１０内を流動しながら上昇していく。熱媒体流動管１０は蓄熱媒体タンク８に密着して巻設してあるから蓄熱媒体タンク８の壁を通じて熱媒体流動管１０に熱が伝えられて熱媒体流動管１０が加熱される。かくして、熱媒体３には熱媒体流動管１０内を流動して上昇していく際に熱媒体流動管１０の熱が伝わり、熱媒体３は加熱される。
【００３３】
しかも、熱媒体流動管１０は長尺に形成し、蓄熱媒体タンク８に螺旋状に巻設してあるから蓄熱媒体タンク８との接触面積が増えて熱媒体流動管１０自体が加熱され、さらに、長尺に形成してあることにより熱媒体３が熱媒体流動管１０内を上昇するのに要する時間が増加するので確実に熱媒体３を加熱することができる。そして、熱媒体流動管１０内を流動した熱媒体３は流出口１０Ｂから熱媒体タンク１の上側貯留空間５内に放出される。上側貯湯空間５内の熱媒体３は循環ポンプ２２の作用によって再び送り側循環配管２１、送りヘッダ２３を介して放熱管２５に送られる。このようにして熱媒体３は循環する。
【００３４】
また、前記温度センサー１７で２つの設定温度を規定し、熱媒体３の温度が第1の設定温度以上になった場合は電熱ヒーター１５を停止して加熱を止め、熱媒体３の温度が第２の設定温度以下になった場合は電熱ヒーター１５を稼動させて熱媒体３を温めるという構成にすることもできる。
【００３５】
このようにして、加熱した熱媒体３を２４時間常に循環させておくことによって路面は加温された状態にあり、少量の雪ならボイラー２８を作動させることなく溶かすことが可能で、経済的である。また、加熱した熱媒体３を２４時間常に放熱管２５に流動させて放熱管２５を加温状態に保つことにより、後述するように大量の雪が降ってボイラー２８を稼動させて路面の融雪を行う場合もボイラー２８の稼動から融雪開始までに要する時間を短縮することができる。
【００３６】
蓄熱媒体として用いている油１６は比熱が低く温まりやすいから、電熱ヒーター１５で油１６を加熱して、蓄熱媒体タンク８を介して熱媒体３を加熱するという面では優れている。しかし、その反面、油は比熱が低いことから冷めやすい性質も有している。そこで、一度温まると冷め難い石１４を蓄熱材として蓄熱媒体タンク８内に充填することによって、蓄熱媒体タンク８と電熱ヒーター１５とからなる熱媒体加熱器７を温まりやすく冷め難いものとすることができ、効率よく熱媒体３を加熱して路面を保温状態に保つことができる。
【００３７】
次に、大量に雪が降った場合には、ボイラー２８、ボイラー送りポンプ２９を稼動して配管２７を介して下側貯留空間６からボイラー２８に熱媒体３を送る。そして、ボイラー２８によって高温に加熱した熱媒体３を配管３０を介して上側貯留空間５に送る。そして、熱媒体３は循環ポンプ２２の作用によって放熱管２５へと送られ放熱管２５が路面の温度を上昇させることにより融雪を行う。
【００３８】
なお、図５に示すように配管３０の他端３０Ｂを吸引側にして、配管３０を介して上側貯留空間５からボイラー２８に熱媒体３を送り、ボイラー２８によって高温に加熱した熱媒体３を配管２７を介して下側貯留空間６に送るようにしてもよい。配管２７の一端２７Ａは戻り側循環配管２６の他端２６Ｂに近接するように配置してあるから、他端２６Ｂから吐出される温度が低下した熱媒体３と、一端２７Ａから吐出される高温の熱媒体３が直ちに混合し、効率よく下側貯留空間６内の熱媒体３を温めることができる。
【００３９】
また、降雪センサー及び地温センサー（共に図示せず。）と前記ボイラー２８、ボイラー送りポンプ２９の夫々を接続した制御盤（図示せず。）を設け、地温センサーで２つの設定温度を規定する。そして、降雪センサーで降雪を感知し、さらに該地温センサーが第１設定温度以下の温度を感知すると自動的にボイラー２８、ボイラー送りポンプ２９が稼動して自動的に融雪を行い、地温センサーが第２設定温度以上の温度を感知すると自動的に運転を停止するように構成してもよい。なお、適切に融雪を行うためには、ボイラー２８等を稼動させる地温センサーの第１設定温度は通常３℃に設定し、運転を停止する第２設定温度は１０℃に設定するのが望ましい。
【００４０】
このように、通常はボイラー２８は稼動させず、必要な場合にのみ稼動させることによって燃料コストを大幅に削減することができる。また、最低温度約３℃になるようにわずかに加熱された熱媒体３を常時循環させておくことによって、循環路全体が常に一定の温度に加温されている状態を保つことができるから、ボイラー２８を稼動させて融雪を行うときも、ボイラー２８の稼動開始から放熱管２５が加温され融雪が始まるまでに要する時間を短縮することができ、迅速に融雪を行うことが出来、効率がよい。
【図面の簡単な説明】
【００４１】
【図１】本発明の実施の形態に係る放熱管敷設型融雪装置の構成図である。
【図２】熱媒体タンクの内部を示す熱媒体タンクの断面斜視図である。
【図３】蓄熱媒体タンクの外観を示す斜視図である。
【図４】蓄熱媒体タンクの内部を示す蓄熱媒体タンク及び熱媒体流動管の断面斜視図である。
【図５】放熱管敷設型融雪装置の変形例を示す構成図である。
【符号の説明】
【００４２】
１    熱媒体タンク
３    熱媒体
７    熱媒体加熱器
８    蓄熱媒体タンク
１０  熱媒体流動管
１１  通水性仕切り体
１４  石
１５  電熱ヒーター
１６  油
２５  放熱管
２８  ボイラー
【図１】
2010101031.tif 000003
【図２】
2010101031.tif 000004
【図３】
2010101031.tif 000005
【図４】
2010101031.tif 000006
【図５】
2010101031.tif 000007